(57)【要約】【課題】撮影した画像と被写体情報の照合作業が簡略化・軽減でき、特に撮影した画像と被写体の図面の照合作業に有効となる、撮影記録システムを提供すること。【解決手段】撮影記録システム１は、被写体を撮影する撮影部３１と、撮影部３１によって撮影された画像を格納する画像テーブル３３ｅと、前記被写体の図面を格納する図面テーブル３３ａと、図面テーブル３３ａに格納された図面を選択する選択部３４ａと、選択部３４ａによって選択された図面を表示する表示部３５と、画像テーブル３３ｅに格納された画像と、表示部３５によって表示された図面とを相互に関連付ける関連付け部３４ｄとを備える。【選択図】図２
2010101158.tif 000002
【特許請求の範囲】
【請求項１】
被写体を撮影する撮影手段と、
前記撮影手段によって撮影された画像を格納する画像格納手段と、
前記被写体の図面を格納する図面格納手段と、
前記図面格納手段に格納された前記図面を選択するための選択手段と、
前記選択手段を介して選択された前記図面を表示する表示手段と、
前記画像格納手段に格納された前記画像と、前記表示手段によって表示された前記図面とを相互に関連付ける関連付け手段と、
を備えることを特徴とする撮影記録システム。
【請求項２】
前記被写体に関する被写体情報を格納する被写体情報格納手段を備え、
前記選択手段を介して、前記被写体情報格納手段に格納された前記被写体情報が選択可能であり、
前記表示手段は、前記選択手段を介して選択された前記被写体情報を表示し、
前記関連付け手段は、前記画像格納手段に格納された前記画像と、前記表示手段によって表示された前記図面及び前記被写体情報とを、相互に関連付けること、
を特徴とする請求項１に記載の撮影記録システム。
【請求項３】
前記図面格納手段は、前記図面を前記被写体情報に基づく複数のグループに分類して格納し、
前記選択手段を介して、前記グループが選択可能であり、
前記表示手段は、前記選択手段を介して選択された前記グループに分類される前記図面を表示すること、
を特徴とする請求項２に記載の撮影記録システム。
【請求項４】
前記被写体の完成計画に関する計画情報を格納する計画情報格納手段を備え、
前記選択手段は、前記図面格納手段に格納された前記図面、又は前記被写体情報格納手段に格納された前記被写体情報を、前記計画情報に基づいて前記完成計画に応じた順序で前記表示手段に表示させる計画ガイダンス手段を有すること、
を備えることを特徴とする請求項２又は３に記載の撮影記録システム。
【請求項５】
前記被写体の種類に関する種類情報と、当該被写体の撮影目的に関する目的情報とを、相互に関連付けて格納する目的情報格納手段を備え、
前記被写体情報は、前記種類情報を含み、
前記選択手段は、前記被写体情報に含まれる前記種類情報に対応する前記目的情報を前記目的情報格納手段から取得し、当該取得した目的情報を前記表示手段によって表示させる目的ガイダンス手段を有すること、
を特徴とする請求項２から４のいずれか一項に記載の撮影記録システム。
【請求項６】
前記被写体は、建物の全部又は一部であり、
前記図面は、建物の設計図面であること、
を特徴とする請求項１から５のいずれか一項に記載の撮影記録システム。
【請求項７】
前記選択手段を介して、前記画像格納手段に格納された前記画像が選択可能であり、
前記表示手段は、前記選択手段を介して選択された前記画像を表示し、
前記関連付け手段は、前記表示手段によって表示された前記図面及び前記画像と、当該表示手段が前記画像を表示した後に前記画像格納手段に新たに格納された画像とを、相互に関連付けること、
を特徴とする請求項１から６のいずれか一項に記載の撮影記録システム。
【発明の詳細な説明】
【技術分野】
【０００１】
本発明は、撮影した画像を記録する撮影記録システムに関する。
【背景技術】
【０００２】
建設工事や土木工事では、設計図面通りに施工されていることを記録するため、工事現場において完成前の建物の各部位をカメラにて撮影し、この撮影した画像を保存する作業が実施されている。また、このような記録作業の際には、撮影した各部位や撮影日が後日特定できるように、各部位の名称や撮影日等の各種の情報を書き込んだ黒板や、各部位の設計図面を、各部位と共に撮影することが行われている。あるいは、すべての情報を各部位と共に撮影するのではなく、工事事務所等に設置されたパソコンに各種の情報を入力し、この情報と、工事現場で撮影されパソコンに取り込まれた画像とを、このパソコンを用いて、所定のソフトで合成することも行われている。
【０００３】
しかしながら、前者の方法は、利用者が工事現場に黒板や図面を携行したり、被写体ごとに各種の情報を黒板に書きかえなければならず、撮影作業に要する手間が大きかった。また、後者の方法は、撮影後に各画像と各情報とを照らし合わせる必要があるため、各画像がいずれの情報に対応するか関連付けができなくなる等、各画像と各情報との照合作業が困難となる場合があった。
【０００４】
そこで、近年では、従来とは異なる撮影記録システムも提案されている（例えば特許文献１参照）。この撮影記録システムは、工事事務所に設置されるパソコン及びデータベースと、作業現場に装着されるものであって場所情報や部材情報等の各種の情報が記録された情報記録カードと、当該情報記録カードから情報を非接触で読み取ることができる情報読取機能付デジタルカメラとを備えて構成されている。
【０００５】
この撮影記録システムの撮影記録処理は、以下の通りに行われる。まず、利用者が情報読取機能付デジタルカメラによって各部位を撮影すると、デジタルカメラは、当該部位に装着された情報記録カードから非接触で情報を読み取り、撮影した画像及び読み取った情報に同じ日付情報及び時刻情報を付した上で、当該デジタルカメラに記録する。そして、利用者は、撮影した画像及び読み取った情報を、日付情報及び時刻情報と相互に関連付けた状態で、デジタルカメラからパソコンに入力し、このパソコンを介してデータベースに記録する。
【先行技術文献】
【特許文献】
【０００６】
【特許文献１】特開２００５−１６１０８号公報
【発明の概要】
【発明が解決しようとする課題】
【０００７】
しかしながら、このような従来の撮影記録システムでは、撮影と同時に各種の情報をデジタルカメラで読み取っていたので、撮影を行う前にこれら情報を確認することができず、これらの情報を参照した上で、撮影すべき部位の特定や確認を行うことができなかった。また、従来は、画像と共に記録すべき情報として、場所情報、部材情報、日付情報、及び時刻情報の如き、いわゆるテキストベースでの情報のみを対象としており、これらの情報と画像とが相互に一致しているか否かを、視覚を通じて迅速かつ正確に確認することが困難であった。
【０００８】
本発明は、上記に鑑みてなされたものであって、撮影した画像と被写体に関する各種の情報とを相互に関連付ける記録作業を、簡易な作業によって迅速かつ正確に記録することができる、撮影記録システムを提供することを目的とする。
【課題を解決するための手段】
【０００９】
上述した課題を解決し、目的を達成するために、請求項１に記載の撮影記録システムは、被写体を撮影する撮影手段と、前記撮影手段によって撮影された画像を格納する画像格納手段と、前記被写体の図面を格納する図面格納手段と、前記図面格納手段に格納された前記図面を選択するための選択手段と、前記選択手段を介して選択された前記図面を表示する表示手段と、前記画像格納手段に格納された前記画像と、前記表示手段によって表示された前記図面とを相互に関連付ける関連付け手段とを備えることを特徴とする。
【００１０】
また、請求項２に記載の撮影記録システムは、請求項１に記載の撮影記録システムにおいて、前記被写体に関する被写体情報を格納する被写体情報格納手段を備え、前記選択手段を介して、前記被写体情報格納手段に格納された前記被写体情報が選択可能であり、前記表示手段は、前記選択手段を介して選択された前記被写体情報を表示し、前記関連付け手段は、前記画像格納手段に格納された前記画像と、前記表示手段によって表示された前記図面及び前記被写体情報とを、相互に関連付けることを特徴とする。
【００１１】
また、請求項３に記載の撮影記録システムは、請求項２に記載の撮影記録システムにおいて、前記図面格納手段は、前記図面を前記被写体情報に基づく複数のグループに分類して格納し、前記選択手段を介して、前記グループが選択可能であり、前記表示手段は、前記選択手段を介して選択された前記グループに分類される前記図面を表示することを特徴とする。
【００１２】
また、請求項４に記載の撮影記録システムは、請求項２又は３に記載の撮影記録システムにおいて、被写体の完成計画に関する計画情報を格納する計画情報格納手段を備え、前記選択手段は、前記図面格納手段に格納された前記図面、又は前記被写体情報格納手段に格納された前記被写体情報を、前記計画情報に基づいて前記完成計画に応じた順序で前記表示手段に表示させる計画ガイダンス手段を有することを特徴とする。
【００１３】
また、請求項５に記載の撮影記録システムは、請求項２から４のいずれか一項に記載の撮影記録システムにおいて、前記被写体の種類に関する種類情報と、当該被写体の撮影目的に関する目的情報とを、相互に関連付けて格納する目的情報格納手段を備え、前記被写体情報は、前記種類情報を含み、前記選択手段は、前記被写体情報に含まれる前記種類情報に対応する前記目的情報を前記目的情報格納手段から取得し、当該取得した目的情報を前記表示手段によって表示させる目的ガイダンス手段を有することを特徴とする。
【００１４】
また、請求項６に記載の撮影記録システムは、請求項１から５のいずれか一項に記載の撮影記録システムにおいて、前記被写体は、建物の全部又は一部であり、前記図面は、建物の設計図面であることを特徴とする。
【００１５】
また、請求項７に記載の撮影記録システムは、請求項１から６のいずれか一項に記載の撮影記録システムにおいて、前記選択手段を介して、前記画像格納手段に格納された前記画像が選択可能であり、前記表示手段は、前記選択手段を介して選択された前記画像を表示し、前記関連付け手段は、前記表示手段によって表示された前記図面及び前記画像と、当該表示手段が前記画像を表示した後に前記画像格納手段に新たに格納された画像とを、相互に関連付けることを特徴とする。
【発明の効果】
【００１６】
請求項１に係る撮影記録システムによれば、被写体を撮影する前に、表示手段によって表示された図面を工事現場等において参照できるので、撮影すべき被写体を視覚的に把握して迅速かつ正確に確認することができる。また、被写体を撮影すると同時に、撮影した画像と表示手段によって表示された図面とを相互に関連付けることができるので、撮影後の照合作業を簡略化することができ、撮影記録作業を一層容易に行うことが可能となる。
【００１７】
また、請求項２に係る撮影記録システムによれば、図面に加えて、被写体に関する被写体情報についても、被写体を撮影する前に工事現場等において参照できるので、撮影すべき被写体を更に正確に確認することができる。また、被写体を撮影すると同時に、撮影した画像と被写体情報とを相互に関連付けることができるので、撮影後の照合作業を簡略化することができ、撮影記録作業を一層迅速に行うことが可能となる。
【００１８】
また、請求項３に係る撮影記録システムによれば、図面格納手段は図面を被写体情報に基づく複数のグループに分類して格納し、表示手段は選択手段を介して選択されたグループに分類される図面を表示するので、各グループに対応する被写体情報を手掛かりとして、図面格納手段に格納されている図面の中から所望の図面を容易に表示させることできる。
【００１９】
また、請求項４に係る撮影記録システムによれば、図面又は被写体情報を完成計画に応じた順序で表示手段に自動的に表示させることができ、完成計画に応じて撮影すべき被写体を迅速かつ正確に確認することができるので、画像を適切なタイミングで漏れなく撮影することができる。
【００２０】
また、請求項５に係る撮影記録システムによれば、種類情報に対応する目的情報を表示手段に自動的に表示させることができ、撮影目的を迅速かつ正確に確認することができるので、目的に応じた画像を漏れなく撮影することができる。
【００２１】
また、請求項６に係る撮影記録システムによれば、建物を撮影する前に、表示手段によって表示された設計図面を工事現場等において参照できるので、撮影すべき建物を視覚的に把握して迅速かつ正確に確認することができる。また、建物を撮影すると同時に、撮影した画像と表示手段によって表示された設計図面とを相互に関連付けることができるので、撮影後の照合作業を簡略化することができ、建物の施工管理や施工検査用の撮影記録作業を一層容易に行うことが可能となる。
【００２２】
また、請求項７に係る撮影記録システムによれば、表示手段は、選択手段を介して選択された画像を表示し、関連付け手段は、表示手段によって表示された図面及び画像と、当該表示手段が画像を表示した後に画像格納手段に新たに格納された画像とを、相互に関連付けるので、利用者は当該表示手段に表示された画像を参照して、当該表示された画像の被写体と同一の被写体を同一のアングルで撮影し、これらの画像を関連付けて管理することができる。これにより、例えば仕上状況の検査において指摘された不具合箇所について同一アングルで撮影された是正前後の画像を容易に管理することができ、仕上管理を容易にすることができる。
【図面の簡単な説明】
【００２３】
【図１】各実施の形態に係る撮影記録システムによる撮影記録の概念図である。
【図２】撮影記録システムの電気的構成を機能概念的に示したブロック図である。
【図３】図面テーブルの構成例を示す図である。
【図４】被写体テーブルの構成例を示す図である。
【図５】計画テーブルの構成例を示す図である。
【図６】目的テーブルの構成例を示す図である。
【図７】画像テーブルの構成例を示す図である。
【図８】撮影記録システムによる処理のフローチャートである。
【図９】撮影装置の表示部の画面経過を示した概念図であり、（ａ）は図面を表示する画面を示す概念図、（ｂ）、（ｄ）は被写体情報を表示する画面を示す概念図、（ｃ）、（ｅ）は被写体を表示する画面を示す概念図である。
【図１０】撮影装置の表示部の画面経過を示した概念図であり、（ｈ）は図面を表示する画面を示す概念図、（ｆ）、（ｉ）は、被写体情報を表示する画面を示す概念図、（ｇ）は被写体を表示する画面を示す概念図である。
【図１１】表示部に表示された操作画面の構成例を示す図である。
【図１２】データ合成部によって生成されたアルバムの構成例を示す図である。
【図１３】実施の形態２に係る図面テーブルの構成例を示す図である。
【図１４】実施の形態２に係る撮影記録システムによる処理のフローチャートである。
【図１５】表示部に表示された階／部位選択画面を例示した図である。
【図１６】データ合成部によって生成されたアルバムを例示した図である。
【発明を実施するための形態】
【００２４】
以下に添付図面を参照して、この発明に係る撮影記録システムの各実施の形態を詳細に説明する。まず、〔Ｉ〕各実施の形態に共通の基本的概念を説明した後、〔II〕各実施の形態の具体的内容について説明し、〔III〕最後に、各実施の形態に対する変形例について説明する。ただし、各実施の形態によって本発明が限定されるものではない。
【００２５】
〔Ｉ〕各実施の形態に共通の基本的概念
まず、各実施の形態の基本的概念について説明する。各実施の形態に係る撮影記録システムは、撮影した画像を記録することを目的とするものである。
【００２６】
各実施の形態に係る撮影記録システムの被写体の種類は任意であり、例えば建設中の建物や、製造中の製品を被写体とすることができる。以下の各実施の形態においては、工事検査記録用に、建設中の建物の各部位を被写体とする場合を例に挙げて説明する。
【００２７】
この撮影記録システムの特徴の一つは、概略的に、被写体の図面を撮影記録システムの表示手段に表示する点や、撮影記録システムの内部において画像と図面とを相互に関連付ける点にある。このシステムによれば、被写体を撮影する前に、表示手段によって表示された図面を工事現場等において参照できるので、撮影すべき被写体を視覚的に把握して迅速かつ正確に確認することができる。また、被写体を撮影すると同時に、撮影した画像と表示手段によって表示された図面とを相互に関連付けることができるので、撮影後の照合作業を簡略化することができ、撮影記録作業を一層容易に行うことが可能となる。
【００２８】
この撮影記録システムによる撮影記録の概要について説明する。図１は、各実施の形態に係る撮影記録システムによる撮影記録の概念図である。撮影記録システム１は、例えば、被写体を撮影するための撮影装置３、及び当該撮影装置３で撮影した画像を所定の条件で処理する画像処理装置２を備えて構成されている。この撮影記録システム１による処理では、例えば、画像処理装置２に、図面や、被写体に関する各種の情報（被写体情報）を予め格納しておく（ステップＳＡ１）。そして、これら図面や被写体情報を、図示しない記録媒体を介して撮影装置３に記録する（ステップＳＡ２）。次いで、利用者は、撮影装置３に、撮影すべき被写体に対応する図面や被写体情報を表示させ、被写体を確認した上で、撮影装置３によって被写体を撮影する（ステップＳＡ３）。この画像は、撮影装置３に記録される。この時、撮影した画像は、撮影装置３の内部において、図面及び被写体情報と相互に関連付けられる（ステップＳＡ４）。次に、これら画像、図面、及び被写体情報は、図示しない記録媒体を介して画像処理装置２に入力され、当該画像処理装置２に記録されて、所定の形式のアルバムに自動的に編集される（ステップＳＡ５）。
【００２９】
ここで、撮影装置３の種類は任意であるが、例えばデジタルカメラ、又はデジタルビデオカメラ等が該当する。また、画像処理装置２の種類は任意であるが、例えばパソコン等が該当する。また、図示しない記録媒体の種類は任意であるが、例えば、フラッシュメモリ等が該当する。
【００３０】
〔II〕各実施の形態の具体的内容
次に、本発明に係る各実施の形態の具体的内容について説明する。
【００３１】
〔実施の形態１〕
最初に、実施の形態１について説明する。図２は、撮影記録システムの電気的構成を機能概念的に示したブロック図である。撮影記録システム１は、画像処理装置２、及び撮影装置３を備えて構成されている。
【００３２】
（構成−画像処理装置）
図２に示すように、画像処理装置２は、入力部２０、読取書込部２１、記録部２２、制御部２３、及び表示部２４を備えている。
【００３３】
入力部２０は、画像処理装置２における各種の処理に必要な情報を入力するための入力手段である。具体的には、入力部２０は、キーボード又はマウスのような入力機器として構成されている。
【００３４】
また、読取書込部２１は、各種記録媒体に対して、情報の読み取り及び書き込みを行う読取書込手段である。この読取書込部２１が読み取り及び書き込みを行うことができる記録媒体の種類は任意であるが、例えばＣＤ−ＲＯＭ（Ｃｏｍｐａｃｔ  Ｄｉｓｋ  Ｒｅａｄ  Ｏｎｌｙ  Ｍｅｍｏｒｙ）、ＤＶＤ（Ｄｉｇｉｔａｌ  Ｖｉｄｅｏ  Ｄｉｓｋ）、又はフラッシュメモリ等が該当する（後述する読取書込部３２も同様）。
【００３５】
記録部２２は、画像処理装置２によって実行される処理に必要なデータを記録する記録手段であり、例えば撮影装置３から取得した画像を格納する制御テーブルを記録している。具体的には、記録部２２は、図面テーブル２２ａ、被写体テーブル２２ｂ、計画テーブル２２ｃ、目的テーブル２２ｄ、及び画像テーブル２２ｅを記録している。なお、これらのテーブルの内容の詳細については後述する。
【００３６】
この記録部２２の具体的な構成は任意であり、例えば、ＨＤ（Ｈａｒｄ  Ｄｉｓｋ）の如き書き換え可能な記録手段を用いて構成することができる（後述する記録部３３も同様）。
【００３７】
制御部２３は、画像処理装置２の各部を制御する制御手段であり、機能概念的に、データ合成部２３ａを備えている。データ合成部２３ａは、記録部２２の各テーブルに格納されたデータを、所定の条件で合成処理をすることで、当該データを所定の形式にしたがってアルバムにまとめるデータ合成手段である。このデータ合成部２３ａによって実行される処理の詳細については後述する。
【００３８】
なお、制御部２３の具体的構成は任意であるが、例えば、ＯＳ（Ｏｐｅｒａｔｉｎｇ  Ｓｙｓｔｅｍ）などの制御プログラム、各種の処理手順などを規定したプログラム、所要データを格納するための内部メモリ、及び、これらのプログラムを実行するＣＰＵ（Ｃｅｎｔｒａｌ  Ｐｒｏｃｅｓｓｉｎｇ  Ｕｎｉｔ）を備えて構成される（後述する制御部３４も同様）。
【００３９】
表示部２４は、画像処理装置２に関するデータを表示する表示手段であり、例えば図１のステップＳＡ５おいて作成されるアルバムや、記録部２２の各テーブルに格納されたデータ等を表示する。この表示部２４の種類は任意であり、例えば液晶ディスプレイ等が該当する（後述する表示部３５も同様）。
【００４０】
（構成−撮影装置）
図２に示すように、撮影装置３は、入力部３０、撮影部３１、読取書込部３２、記録部３３、制御部３４、及び表示部３５を備えている。
【００４１】
入力部３０は、撮影装置３に対する各種の情報を入力するための入力手段である。具体的には、入力部３０は複数の操作ボタンや切換え器等で構成されており、これらを介して様々な情報を入力することができる。
【００４２】
撮影部３１は、被写体を撮影する撮影手段である。撮影部３１は、例えばＣＣＤ（Ｃｈａｒｇｅ  Ｃｏｕｐｌｅｄ  Ｄｅｖｉｃｅｓ）素子を備えて構成されており、撮影した画像を制御部３４に出力する。
【００４３】
読取書込部３２は、各種記録媒体に記録された情報を読み取り、及び各種記録媒体への情報の書き込みを行う読取書込手段である。
【００４４】
記録部３３は、撮影装置３によって実行される処理に必要なデータを記録する記録手段であり、例えば撮影した画像を格納する制御テーブル等を記録している。具体的には、記録部３３は図面テーブル３３ａ、被写体テーブル３３ｂ、計画テーブル３３ｃ、目的テーブル３３ｄ、及び画像テーブル３３ｅを記録している。これらのテーブルは、画像処理装置２の記録部２２に記録されているテーブルと対応しており、例えば、撮影装置３の記録部３３の被写体テーブル３３ｂの被写体情報は、画像処理装置２の記録部２２の被写体テーブル２２ｂにも格納される。なお、これらのテーブルの内容の詳細については後述する。
【００４５】
制御部３４は、撮影装置３の各部を制御する制御手段であり、機能概念的に、選択部３４ａ、関連付け部３４ｄ、計画ガイダンス部３４ｂ、及び目的ガイダンス部３４ｃを備えている。選択部３４ａは、図面テーブル３３ａに格納された図面、又は被写体テーブル３３ｂに格納された被写体情報の中から、表示部３５に表示すべき被写体情報を選択するための選択手段である。この選択部３４ａは、機能概念的に、さらに計画ガイダンス部３４ｂと目的ガイダンス部３４ｃを備える。計画ガイダンス部３４ｂは、図面テーブル３３ａに格納された図面、又は被写体テーブル３３ｂに格納された被写体情報の中から、表示部３５に表示すべき被写体情報を、計画テーブル３３ｃに格納された計画情報に応じて選択する計画ガイダンス手段である。目的ガイダンス部３４ｃは、被写体テーブル３３ｂに格納された被写体情報に対応する種類情報に基づいて、目的テーブル３３ｄに格納された目的情報の中から、表示部３５によって表示させる目的情報を選択する目的ガイダンス手段である。関連付け部３４ｄは、画像テーブル３３ｅに格納された画像と、選択部３４ａによって選択され表示部３５によって表示された図面、又は被写体情報とを、相互に関連付ける関連付け手段である。なお、これらの具体的内容については、制御部３４によって実行される処理の説明と併せて後述する。
【００４６】
表示部３５は、撮影装置３に関するデータを表示する表示手段であり、例えば撮影部３１によって撮影された被写体の画像を表示し、或いは選択部３４ａによって選択された記録部３３の各テーブルに格納されたデータを表示する。
【００４７】
（テーブルの内容）
次に、画像処理装置２の記録部２２及び撮影装置３の記録部３３に記録される各テーブルの内容とその構造について説明する。図３は図面テーブル２２ａ、３３ａの構成例を示す図である。図面テーブル２２ａ、３３ａは、被写体の図面を管理するテーブルであり、例えば「ＩＤ番号」及び「図面」の項目と、各項目に対応する情報を対応付けて構成されている。ここで、項目「ＩＤ番号」に対応する情報は、被写体を一意に識別するＩＤ番号（識別情報）である。また、項目「図面」に対応する情報は、具体的にはＣＡＤデータから図面全体、或いは図面の一部を切り出したものを画像ファイルに変換したものが該当する。この画像ファイルの形式は任意であるが、例えば、ビットマップ形式やＪＰＥＧ形式等が該当する。なお、図面を切り出す範囲は任意であるが、例えば、切り出した図面を工事現場で参照することで、当該図面に対応する被写体を容易に特定できるように、撮影したい被写体の大きさに応じた範囲で図面を切り出すことが好ましい。
【００４８】
また、図４は被写体テーブル２２ｂ、３３ｂの構成例を示す図である。被写体テーブル２２ｂ、３３ｂは被写体情報を管理するテーブルであり、例えば「ＩＤ番号」、「棟名」、「階」、「工区」、「検査日」、「通り名１」、「通り名２」、「部位」、「符号」、及び「撮影日」の項目と、各項目に対応する情報を相互に対応付けて構成されている。項目「棟名」に対応する情報は、建物の棟を示す情報である。項目「階」に対応する情報は、建物の階層を示す情報である。項目「工区」に対応する情報は、建物の所定の領域を施工単位ごとに区切った領域を示す情報である。項目「検査日」に対応する情報は、立会検査を行った日付を示す情報である。項目「通り名１」及び「通り名２」に対応する情報は、建物の各グリッド（Ｘ・Ｙ方向の通り芯）に付与された名称であって、例えば項目「通り名１」に対応する情報は、被写体の左（又は下）側のグリッドを示す情報が該当し、項目「通り名２」に対応する情報は、被写体の右（又は上）側のグリッドを示す情報が該当する。項目「部位」に対応する情報は、被写体が建物のいずれの部位であるのかを示す情報である。この項目「部位」に対応する情報は、特許請求の範囲で示す種類情報に対応している（後述する目的テーブル２２ｄ、３３ｄの項目「部位」に対応する情報も同様）。項目「符号」に対応する情報は、建物の部位の撮影範囲を示す情報である。項目「符号」に対応する情報の種類は任意であるが、例えば、建物の各部位を特定する記号と、その部位の撮影範囲とを組み合わせた情報が該当する。項目「撮影日」に対応する情報は、被写体を撮影した日付を示す情報である。
【００４９】
また、図５は計画テーブル２２ｃ、３３ｃの構成例を示す図である。計画テーブル２２ｃ、３３ｃは、計画情報を管理するためのテーブルであり、例えば「ＩＤ番号」及び「計画情報」の項目と、各項目に対応する情報を対応付けて構成されている。ここで、項目「計画情報」に対応する情報は、建物の完成計画（施工計画）に関する情報であり、例えば建物の各部位の施工順序を特定するための情報が該当する。この情報の具体的な構成は任意であり、例えば、各部位の完成予定日のような絶対的な施工タイミングを示す情報や、各部位相互間の相対的な施行順序を示す情報を用いることができる。ここでは、後者の場合を例にとって説明する。すなわち、各ＩＤ番号によって特定される部位の施行順序を、「１」「２」の如き数値で特定する。
【００５０】
また、図６は目的テーブル２２ｄ、３３ｄの構成例を示す図である。目的テーブル２２ｄ、３３ｄは、目的情報を管理するテーブルであり、例えば「目的情報」と「部位」の項目と、各項目に対応する情報を対応付けて構成されている。項目「目的情報」に対応する情報は、被写体の撮影目的に関する情報であり、例えば被写体の撮影範囲又はアングル等の撮影条件を特定するための情報が該当する。具体的には、項目「目的情報」に対応する情報は、建物の梁に関する鉄筋を撮影する場合、梁の全景、鉄筋の本数、又は鉄筋の鋼種等の情報が該当する。例えば、これら被写体の撮影範囲又はアングル等の撮影条件は、建物検査に関する法令や規則が定められている場合には、当該法令や規則に準じた撮影条件を用いて、目的テーブル２２ｄ、３３ｄを構成する。
【００５１】
また、図７は画像テーブル２２ｅ、３３ｅの構成例を示す図である。画像テーブル２２ｅ、３３ｅは、撮影装置３によって撮影された画像を管理するテーブルであり、例えば、「ＩＤ番号」及び「画像」の項目と、各項目に対応する情報を対応付けて構成されている。
【００５２】
なお、このように構成された各テーブルにおいて、項目「ＩＤ番号」に対応する情報や、項目「部位」に対応する情報としては、相互に共通する情報が用いられており、これら情報に基づいて、各テーブルを構成する各情報が相互に関連付けられている。
【００５３】
（処理内容）
次に、撮影記録システム１が実行する処理について説明する。図８は、撮影記録システム１による処理のフローチャートである。また、図９、図１０は、撮影装置３の表示部３５の画面経過を示した概念図であり、図９（ａ）、図１０（ｈ）は図面を表示する画面を示す概念図であり、図９（ｂ）、（ｄ）、図１０（ｆ）、（ｉ）は被写体情報を表示する画面を示す概念図であり、図９（ｃ）、図９（ｅ）、図１０（ｇ）は被写体を表示する画面を示す概念図である。
【００５４】
まず、利用者は、画像処理装置２の記録部２２に記録させる各テーブルを画像処理装置２やその他の公知の情報処理装置を用いて作成する。例えば、建築図面のＣＡＤデータの中から、任意の一部を公知の方法で切り取って、図面テーブル３３ａに格納する。これら各テーブルの相互間の対応付けは、相互に対応する図面、被写体情報、及び計画情報に対して、同一のＩＤ番号を利用者自らが入力部２０を介して付与することで行われる。そして、利用者は、このように作成した各テーブルを記録部２２に記録させる（ステップＳＢ１）。
【００５５】
ここで、記録部２２に記録された各テーブルのデータを確認する方法は任意であるが、例えば、制御部２３が当該データを表示部２４に表示させる方法が該当する。図１１は、表示部２４に表示された操作画面２４ａの構成例を示す図である。図１１に示すように、操作画面２４ａは、記録部２２の各テーブルに格納されたデータを所定の形式で表示するものであり、テキスト表示領域２４ｂ、及び図表示領域２４ｃを備えている。テキスト表示領域２４ｂは、被写体テーブル２２ｂ、及び画像テーブル２２ｅに格納されたデータを表示するものである。具体的には、テキスト表示領域２４ｂには、「ＩＤ番号」、「棟名」、「階」、「工区」、「検査日」、「通り名１」、「通り名２」、「部位」、「符号」、「撮影日」、及び「写真」の項目と、各項目に対応する情報とで構成された表が表示される。これら各項目に対応する情報は、項目「写真」に対応する情報を除いて、上述した被写体テーブル２２ｂ、３３ｂにおける同一項目に対応する情報と同様であるため、その説明を省略する。ここで、項目「写真」に対応する情報は、撮影装置３から取得した画像の有無を特定する情報である。この情報を表示する方法は任意であるが、例えば撮影装置３から取得済みの場合は白抜きの丸（○）で表示し、取得済みでない場合は黒抜きの丸（●）で表示する。また、図表示領域２４ｃは、図面テーブル２２ａに格納された図面を表示するものである。図表示領域２４ｃの表示方法は任意であるが、例えば、利用者が入力部２０によってテキスト表示領域２４ｂ上で選択したデータに対応する図面を表示する。なお、操作画面２４ａの具体的構成は任意であり、例えば計画テーブル２２ｃ、及び目的テーブル２２ｄに格納されたデータついて、当該データを編集するための図示しない別画面を表示してもよい。なお、この操作画面２４ａに表示する各種の情報は、ステップＳＢ１で利用者によって入力されたＩＤ番号に基づいて、各テーブルから取得される。
【００５６】
また、画像処理装置２の制御部２３は、当該画像処理装置２の読取書込部２１に、当該画像処理装置２の記録部２２の各テーブルに格納されたデータを、当該読取書込部２１にセットされた図示しない記録媒体に書き込ませる（ステップＳＢ２）。
【００５７】
データの書き込みが終了した後、図示しない記録媒体は画像処理装置２の読取書込部２１から取り外され、撮影装置３の読取書込部３２にセットされる。撮影装置３の制御部３４は、当該撮影装置３の読取書込部３２に、図示しない記録媒体に書き込まれたデータを読み取らせ（ステップＳＢ３）、読み取らせたデータを、撮影装置３の記録部３３の各テーブルに格納させる。
【００５８】
撮影装置３の制御部３４は、記録部３３の各テーブルに格納されたデータに基づき撮影準備処理を行う（ステップＳＢ４）。
【００５９】
例えば、計画ガイダンス部３４ｂは、撮影装置３の記録部３３の計画テーブル３３ｃに格納された計画情報に応じて、図面テーブル３３ａに格納された図面、及び被写体テーブル３３ｂに格納された被写体情報を表示部３５に表示させる順序を決定する。具体的には、計画ガイダンス部３４ｂは、計画テーブル３３ｃの項目「計画情報」に対応する情報を参照し、数字の大きさに応じて順序を特定する（ここでは、最も小さい数字を１番目とし、以降、数字が大きくなる順に、順番が繰り下がるものとする）。そして、特定した順序にしたがって、表示部３５に表示する図面及び被写体情報を選択する。具体的には、特定した順序に対応するＩＤ番号を計画テーブル３３ｃから取得し、当該取得したＩＤ番号に対応する図面及び被写体情報を、図面テーブル３３ａ及び被写体テーブル３３ｂからそれぞれ取得する。
【００６０】
また、目的ガイダンス部３４ｃは、表示部３５に表示する目的情報を選択する。具体的には、上述したように計画ガイダンス部３４ｂによって取得された被写体情報の中から、部位を取得し、当該取得した部位に対応する目的情報を、目的テーブル３３ｄから取得する。ここで、一つの部位に対して複数の目的情報が存在する場合、これら複数の目的情報の相互間の表示順序を所定方法で特定する。例えば、目的テーブル３３ｄを構成する際、これら複数の目的情報を表示順序に応じた順番で格納し、当該ステップＳＢ４では、この格納順番に基づいて、複数の目的情報の表示順序を特定する。
【００６１】
次に、撮影装置３の制御部３４は、利用者から撮影開始の指示があるまで待機する（ステップＳＢ５）。利用者から撮影開始が指示されると（ステップＳＢ５、Ｙｅｓ）、撮影装置３の制御部３４は、ステップＳＢ４の撮影準備処理の結果に応じて、図面、被写体情報、及び目的情報を表示部３５に表示させる。例えば、計画ガイダンス部３４ｂは、選択した図面を表示部３５に表示させる（ステップＳＢ６）。具体的には、図９（ａ）に示すように、表示部３５に梁の配筋図（左側）の図面を表示させる。また、計画ガイダンス部３４ｂは、選択した被写体情報を表示部３５に表示させる（ステップＳＢ７）。具体的には、図９（ｂ）に示すように、表示部３５に「通り名：Ａ３〜Ａ４」、及び「部位：梁」を表示させる。また、目的ガイダンス部３４ｃは、選択した目的情報を表示部３５に表示させる。具体的には、図９（ｂ）に示すように、表示部３５に「目的：全景」を表示させる。これらの情報を表示部３５に表示させる方法は任意であり、例えば、図９（ａ）、（ｂ）に示すように、先に図面を表示させ、所定時間経過後に被写体情報及び目的情報を重畳的に表示させる。また、図面、被写体情報、及び目的情報を一度に重畳的に表示させたり、或いは所定時間毎に個別に表示させる。なお、これらの情報を表示部３５に再度表示させる方法は任意であり、例えば利用者が入力部３０で所定の指示をすることで、所定の図面等を表示部３５に再度表示させる。
【００６２】
続いて、利用者は撮影装置３の表示部３５の表示内容に応じて、撮影装置３によって被写体を撮影する。すなわち、利用者は表示部３５の表示内容を目視することで、撮影すべき被写体の位置や撮影範囲を確認し、実際の部位との一致／不一致を確認することができる。そして、利用者が撮影装置３の入力部３０によって撮影を指示することで、制御部３４が撮影部３１に被写体を撮影させる。ここで、図９（ｃ）に示すように、利用者によって被写体が撮影される毎に、撮影装置３の制御部３４は撮影部３１によって撮影された画像を取得し（ステップＳＢ８）、撮影された画像を画像テーブル３３ｅに格納させる。そして、撮影された画像が画像テーブル３３ｅに格納される毎に、関連付け部３４ｄは当該画像テーブル３３ｅに格納された画像と、ステップＳＢ６〜ステップＳＢ７で表示させた図面、及び被写体情報とを関連付ける関連付け処理を行う（ステップＳＢ９）。具体的には、図７に示すように、関連付け部３４ｄは撮影された画像に、図面及び被写体情報と対応するＩＤ番号を付して画像テーブル３３ｅに記録する。
【００６３】
次に、撮影装置３の制御部３４は、１つの部位に対して、その全ての目的情報に応じた撮影が完了した否かを判定する（ステップＳＢ１０）。例えば、ステップＳＢ４の撮影準備処理で取得した目的情報が複数存在する場合、これら複数の目的情報の全てに対する撮影が完了したか否かを判定する。ここで、撮影が完了していない場合（ステップＳＢ１０、Ｎｏ）、撮影装置３の制御部３４はステップＳＢ７の直前に戻り、図９（ｅ）、図１０（ｇ）に示す画像の撮影が完了するまでステップＳＢ７〜ステップＳＢ１０の処理を繰り返す。このようにステップＳＢ７に戻る毎に、目的ガイダンス部３４ｃは、前回表示した目的情報の次順の目的情報を表示部３５に表示させる。例えば、図９（ｄ）、図１０（ｆ）に示すように、２回目のステップＳＢ７では、表示部３５に「目的：本数」を表示させ、３回目のステップＳＢ７では、表示部３５に「目的：鋼種」を表示させる。
【００６４】
一方、１つの部位に対して全ての目的情報に応じた撮影が完了した場合（ステップＳＢ１０、Ｙｅｓ）、撮影装置３の制御部３４は計画情報に応じた撮影が完了したか否か（全ての部位に対する撮影が完了したか否か）を判定する（ステップＳＢ１１）。ここで、撮影が完了していない場合（ステップＳＢ１１、Ｎｏ）、撮影装置３の制御部３４はステップＳＢ６の直前に戻り、その後に撮影すべき各部位の全てに対する撮影が完了するまで、ステップＳＢ６〜ステップＳＢ１１の処理を繰り返す。このようにステップＳＢ６に戻る毎に、計画ガイダンス部３４ｂは、次順の部位の図面を表示部３５に表示させる。具体的には、図１０（ｈ）に示すように、２番目に撮影すべき部位である梁の配筋図（右側）の図面を表示部３５に表示させる。また、ステップＳＢ７において、計画ガイダンス部３４ｂは、次順の部位の被写体情報を表示部３５に表示させ、目的ガイダンス部３４ｃは次順の部位の目的情報を表示部３５に表示させる。具体的には、図１０（ｉ）に示すように、表示部３５に「通り名：Ａ３〜Ａ４」、「部位：梁」、及び「目的：全景」を表示させる。
【００６５】
一方、計画情報に応じた撮影が完了した場合（ステップＳＢ１１、Ｙｅｓ）、撮影装置３の制御部３４は、当該撮影装置３の読取書込部３２に、記録部３３の各テーブルに格納されたデータを、当該読取書込部３２にセットされた図示しない記録媒体に書き込ませる（ステップＳＢ１２）。ただし、記録媒体への書き込みタイミングは変更可能であり、例えば、ステップＳＢ８において画像を取得する毎に、取得した画像と、当該画像と関連付けられた図面及び被写体情報を、図示しない記録媒体に書き込ませることもできる。データの書き込みが終了した後、図示しない記録媒体は撮影装置３の読取書込部３２から取り外され、画像処理装置２の読取書込部２１にセットされる。
【００６６】
画像処理装置２の制御部２３は、当該画像処理装置２の読取書込部２１に、図示しない記録媒体に格納されたデータを当該記録媒体から読み取らせ（ステップＳＢ１３）、当該画像処理装置２の記録部２２の各テーブルに格納させる。
【００６７】
そして、データ合成部２３ａは、記録部２２の各テーブルに格納されたデータを用いて合成処理する（ステップＳＢ１４）。具体的には、データ合成部２３ａは、所定のソフトを用いて、記録部２２の各テーブルに格納されたデータのうちＩＤ番号毎に対応するデータを合成して、図１に示すアルバムを生成する。図１２は、データ合成部２３ａによって生成されたアルバムの構成例を示す図である。このアルバムは、計画情報及び目的情報の順序に基づいて構成されており、同じＩＤ番号に関する図面、被写体情報、及び画像等が所定の形式に自動的に編集される。このアルバムは任意に編集できるものであり、例えば利用者が入力部２０によって新規データを追加したり、図面等の位置を自由に入れ替えたりすることができる。
【００６８】
（実施の形態１の効果）
このように実施の形態１によれば、被写体を撮影する前に、撮影装置３の表示部３５によって表示された図面を工事現場等において参照できるので、撮影すべき被写体を視覚的に把握して迅速かつ正確に確認することができる。また、撮影装置３の制御部３４に関連付け部３４ｄを備えることで、被写体を撮影すると同時に、撮影した画像と表示部３５によって表示された図面とを相互に関連付けることができるので、撮影後の照合作業を簡略化することができ、撮影記録作業を一層容易に行うことが可能となる。
【００６９】
また、図面に加えて、被写体に関する被写体情報についても、撮影装置３の表示部３５によって、被写体を撮影する前に工事現場等において参照できるので、撮影すべき被写体を一層正確に確認することができる。また、撮影装置３の制御部３４に関連付け部３４ｄを備えることで、被写体を撮影すると同時に、撮影した画像と被写体情報とを相互に関連付けることができるので、撮影後の照合作業を簡略化することができ、撮影記録作業を一層容易に行うことが可能となる。
【００７０】
また、撮影装置３の制御部３４に計画ガイダンス部３４ｂを備えることで、図面又は被写体情報を完成計画に応じた順序で表示部３５に表示させることができ、完成計画に応じて撮影すべき被写体を迅速かつ正確に確認することができるので、画像を適切なタイミングで漏れなく撮影することができる。
【００７１】
また、撮影装置３の制御部３４に目的ガイダンス部３４ｃを備えることで、被写体情報の中の部位に対応する目的情報を、撮影装置３の表示部３５に表示させることができ、撮影目的を迅速かつ正確に確認することができるので、目的に応じた画像を漏れなく撮影することができる。
【００７２】
また、建物を撮影する前に、撮影装置３の表示部３５によって表示された設計図面を工事現場等において参照できるので、撮影すべき建物を視覚的に把握して迅速かつ正確に確認することができる。また、建物を撮影すると同時に、撮影した画像と表示部３５によって表示された設計図面とを相互に関連付けることができるので、撮影後の照合作業を簡略化することができ、建物の施工管理や施工検査用の撮影記録作業を一層容易に行うことが可能となる。
【００７３】
〔実施の形態２〕
次に、実施の形態２について説明する。
【００７４】
（テーブルの内容）
まず、本実施の形態２に係る画像処理装置２の記録部２２及び撮影装置３の記録部３３に記録される図面テーブル２２ａ、３３ａの内容とその構造について説明する。図１３は実施の形態２に係る図面テーブル２２ａ、３３ａの構成例を示す図である。図１３に示したように、本実施の形態２に係る図面テーブル２２ａ、３３ａは、実施の形態１で図３を参照して説明した図面テーブル２２ａ、３３ａの各情報に加えて、項目「グループ」に対応する情報が格納されている。この項目「グループ」に対応する情報は、図面テーブル２２ａ、３３ａに格納される図面が分類されるグループを特定するための情報である。各図面は当該図面に対応する被写体情報に基づいて複数のグループに分類される。なお、図面を複数のグループに分類するための基準となる被写体情報の具体的内容は任意で、例えば図４で例示した被写体テーブル２２ｂ、３３ｂの項目「階」に対応する情報（建物の階層を示す情報）と項目「部位」に対応する情報（種類情報）との組み合わせ（例えば「１Ｆ柱」「１Ｆ梁」等）毎に、対応する図面を分類することができる。この項目「グループ」に対応して格納されている情報と、項目「ＩＤ番号」及び「図面」に対応する情報とが、相互に関連付けて図面テーブル２２ａ、３３ａに格納される。
【００７５】
（処理内容）
次に、本実施の形態２に係る撮影記録システム１が実行する処理について説明する。図１４は、実施の形態２に係る撮影記録システム１による処理のフローチャートである。但し、ＳＣ３からＳＣ５は図２のＳＢ３からＳＢ５と同じであり、ＳＣ１２からＳＣ１５は図２のＳＢ１０からＳＢ１３と同じであるので、その説明を省略する。
【００７６】
まず、利用者は、画像処理装置２の記録部２２に記録させる各テーブルを画像処理装置２やその他の公知の情報処理装置を用いて作成し、当該作成した各テーブルを記録部２２に記録させる（ステップＳＣ１）。ここで、既に撮影装置３によって撮影され当該撮影装置３から画像処理装置２が取得した画像は、画像テーブル２２ｅに格納された状態で記録部２２に記録される。
【００７７】
続いて画像処理装置２の制御部２３は、記録部２２の各テーブルに格納されたデータを、読取書込部２１を介して当該読取書込部２１にセットされた図示しない記録媒体に書き込ませる（ステップＳＣ２）。ここで制御部２３は、図面テーブル２２ａに格納されたデータを、当該図面テーブル２２ａの項目「グループ」に対応する情報によって特定されるグループ毎に複数のフォルダに分けて記録媒体に書込ませる。この際、各フォルダの名称として、図面を各グループに分類するための基準とした被写体情報（例えば「１Ｆ柱」、「１Ｆ梁」等）を用いてもよい。
【００７８】
次に、ＳＣ５において利用者から撮影開始が指示されると（ステップＳＣ５、Ｙｅｓ）、撮影装置３の制御部３４は、図面が格納されているフォルダ（すなわち当該図面が分類されているグループ）を利用者に選択させるための画面（図１４では「階／部位選択画面」）を表示部３５に表示させる（ステップＳＣ６）。図１５は、表示部３５に表示された階／部位選択画面を例示した図である。図１５に示すように、階／部位選択画面には図面が格納されている各フォルダの名称がリスト表示される。
【００７９】
図１４に戻り、撮影装置３の制御部３４は、利用者から図面が格納されているフォルダが選択されるまで待機する（ステップＳＣ７）。利用者によるフォルダの選択操作は、入力部３０を介して受け付ける。ここで、複数のボタン（例えば上下及び左右ボタン等）やダイヤル等の複数の操作手段を備えるように入力部３０を構成し、これらの操作手段毎にフォルダの選択操作や当該選択されたフォルダに格納されている図面の選択操作等の異なる操作入力を受け付けるようにしてもよい。これにより、一層簡易な操作で図面等の情報を利用者に選択させることができる。
【００８０】
利用者の選択操作によりフォルダが選択されると（ステップＳＣ７、Ｙｅｓ）、計画ガイダンス部３４ｂはＳＣ４で選択した図面のうちＳＣ７で選択されたフォルダに格納されている図面（すなわち当該フォルダに対応するグループに分類される図面）を表示部３５に表示させる（ステップＳＣ８）。この時、入力部３０を介した操作入力に基づき、ＳＣ７で選択されたフォルダに格納されている図面を順次表示部３５に表示させるようにしてもよい。
【００８１】
さらに計画ガイダンス部３４ｂは、ＳＣ４で選択された被写体情報及び目的情報を表示部３５に表示させると共に、これらの被写体情報や目的情報に対応する画像が既に画像テーブル３３ｅに格納されている場合には、当該画像を選択し表示部３５に表示させる（ステップＳＣ９）。
【００８２】
続いて、利用者は撮影装置３の表示部３５の表示内容に応じて、撮影装置３によって被写体を撮影する。ここで、画像テーブル３３ｅに格納されている画像が表示部３５に表示された場合、利用者は当該表示部３５に表示された画像を参照して、当該表示された画像の被写体と同一の被写体を同一のアングルで撮影することができる。これにより、例えば仕上状況の検査において指摘された不具合箇所の是正後の画像を、容易に是正前の画像と同一アングルで撮影することができ、仕上管理を容易にすることができる。このように利用者によって被写体が撮影される毎に、撮影装置３の制御部３４は撮影部３１によって撮影された画像を取得し（ステップＳＣ１０）、撮影された画像を画像テーブル３３ｅに格納させる。そして、撮影された画像が画像テーブル３３ｅに格納される毎に、関連付け部３４ｄは当該画像テーブル３３ｅに新たに格納された画像と、ステップＳＣ８及びステップＳＣ９で表示部３５に表示させた図面、被写体情報、及び画像とを関連付ける関連付け処理を行う（ステップＳＣ１１）。
【００８３】
ステップＳＣ１５において、図示しない記録媒体に格納されたデータを読取書込部２１が当該記録媒体から読み取った後（ステップＳＣ１５）、データ合成部２３ａは、記録部２２の各テーブルに格納されたデータを用いて合成処理する（ステップＳＣ１６）。ここで、データ合成部２３ａは、相互に関連付けられている複数の画像、あるいは同一の被写体情報に関連付けられている複数の画像が画像テーブル２２ｅに格納されている場合、これらの複数の画像を隣接配置したアルバムを生成する。図１６はデータ合成部２３ａによって生成されたアルバムを例示した図である。図１６に示すように、例えば仕上状況の検査において指摘された不具合箇所について同一アングルで撮影された是正前後の画像が隣接配置される。これにより、是正前後の状況を容易に把握可能とすることができ、仕上管理を容易にすることができる。
【００８４】
（実施の形態２の効果）
このように実施の形態２によれば、図面テーブル２２ａ、３３ａは図面を被写体情報に基づく複数のグループに分類して格納し、表示部３５は計画ガイダンス部３４ｂを介して選択されたグループに分類される図面を表示するので、各グループに対応する被写体情報を手掛かりとして、図面テーブル２２ａ、３３ａに格納されている図面の中から所望の図面を容易に表示させることできる。
【００８５】
特に、複数の操作手段を備えるように入力部３０を構成し、これらの操作手段毎にフォルダの選択操作や当該選択されたフォルダに格納されている図面の選択操作等の異なる操作入力を受け付けるようにすることにより、一層簡易な操作で図面等の情報を利用者に選択させ、表示部３５に表示させることができる。
【００８６】
また、表示部３５は、計画ガイダンス部３４ｂを介して選択された画像を表示し、関連付け部３４ｄは、表示部３５によって表示された図面及び画像と、当該表示部３５が画像を表示した後に画像テーブル３３ｅに新たに格納された画像とを、相互に関連付けるので、利用者は当該表示部３５に表示された画像を参照して、当該表示された画像の被写体と同一の被写体を同一のアングルで撮影し、これらの画像を関連付けて管理することができる。これにより、例えば仕上状況の検査において指摘された不具合箇所について同一アングルで撮影された是正前後の画像を容易に管理することができ、仕上管理を容易にすることができる。
【００８７】
〔III〕各実施の形態に対する変形例
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００８８】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００８９】
（構成及び制御について）
また、各実施の形態で自動的に行われるものとして説明した制御の全部または任意の一部を手動で行っても良く、逆に、手動で行われるものとして説明した制御の全部または任意の一部を公知技術または上述した思想に基づいて自動化しても良い。また、上述した各電気的構成要素は機能概念的なものであり、必ずしも物理的に図示の如く構成されていることを要しない。すなわち、各部の分散・統合の具体的形態は図示のものに限られず、その全部または一部を、各種の負荷や使用状況などに応じて、任意の単位で機能的または物理的に分散・統合して構成できる。例えば、画像処理装置２の制御部２３のデータ合成部２３ａを撮影装置３の制御部３４に備えてもよい。この他、前記文書中や図面中で示した処理手順、または、制御手順については、特記する場合を除いて任意に変更できる。
【００９０】
（計画情報や目的情報に基づいた撮影の監視について）
計画情報や目的情報に基づいて、利用者による被写体の撮影状況を監視してもよい。例えば、１つの部位に対して目的情報が複数設定されており、全ての目的情報に対応する画像の撮影が完了する前に、利用者が入力部３０を介して撮影完了を指示した場合には（例えば撮影装置３の電源を切ろうとした場合には）、全ての目的情報に対応する画像の撮影が完了していない旨を、表示部２４に表示させてもよい。あるいは同様に、計画情報にて特定された全ての部位に対応する画像の撮影が完了する前に、利用者が入力部３０を介して撮影完了を指示した場合には、全ての部位に対応する画像の撮影が完了していない旨を、表示部２４に表示させてもよい。
【００９１】
（データの移動方法について）
各実施の形態では、画像処理装置２と撮影装置３との相互間におけるデータの移動方法は、記録媒体を介して行うことができるものとして説明したが、例えば、画像処理装置２と撮影装置３の両方に図示しない通信部を備え、これら装置の間を有線又は無線にて接続することで、これら装置との相互間のデータ通信ができるようにしてもよい。
【符号の説明】
【００９２】
１  撮影記録システム
２  画像処理装置
３  撮影装置
２０、３０  入力部
２１、３２  読取書込部
２２、３３  記録部
２２ａ、３３ａ  図面テーブル
２２ｂ、３３ｂ  被写体テーブル
２２ｃ、３３ｃ  計画テーブル
２２ｄ、３３ｄ  目的テーブル
２２ｅ、３３ｅ  画像テーブル
２３、３４  制御部
２４、３５  表示部
２３ａ  データ合成部
２４ａ  操作画面
２４ｂ  テキスト表示領域
２４ｃ  図表示領域
３１  撮影部
３４ａ  選択部
３４ｂ  計画ガイダンス部
３４ｃ  目的ガイダンス部
３４ｄ  関連付け部
【図１】
2010101158.tif 000003
【図２】
2010101158.tif 000004
【図３】
2010101158.tif 000005
【図４】
2010101158.tif 000006
【図５】
2010101158.tif 000007
【図６】
2010101158.tif 000008
【図７】
2010101158.tif 000009
【図８】
2010101158.tif 000010
【図９】
2010101158.tif 000011
【図１０】
2010101158.tif 000012
【図１１】
2010101158.tif 000013
【図１２】
2010101158.tif 000014
【図１３】
2010101158.tif 000015
【図１４】
2010101158.tif 000016
【図１５】
2010101158.tif 000017
【図１６】
2010101158.tif 000018